(57)【要約】      （修正有）【課題】大型のトラックなどでの輸送を必要とせず、しかも、施工現場での作業工数を最小限に抑えることの可能な木質パネル、および、そのような木質パネルを用いて建築された建築物を提供する。【解決手段】木質パネル１は、合板１０と、合板１０に固定された木製枠材２０と、支持材３０と、を備えている。木製枠材２０は、合板１０と平行な方向に延在する、配管を通すための複数の貫通孔２１Ａ、２２Ａを有し、複数の貫通孔２１Ａ、２２Ａは、２回回転対称の位置に配置されている。支持材３０は、合板１０と平行に、配管を通すための、複数の貫通孔３０Ａを有している。【選択図】図１
0003208533.tif 000002
【実用新案登録請求の範囲】
【請求項１】
ＪＡＳ規格によって規定された構造用合板と、
前記構造用合板に固定された木製枠材と
を備えた
木質パネル。
【請求項２】
前記木製枠材は、前記構造用合板と平行な方向に延在する、配管を通すための複数の第１の貫通孔を有し、
複数の前記第１の貫通孔は、２回回転対称の位置に配置されている
請求項１に記載の木質パネル。
【請求項３】
前記木製枠材は、前記第１の貫通孔とは異なる位置に、前記構造用合板と平行な方向に延在する、ボルトを通すための複数の第２の貫通孔をさらに備えた
請求項２に記載の木質パネル。
【請求項４】
合板と、
前記合板に固定された木製枠材と
を備え、
前記木製枠材は、前記合板と平行な方向に延在する、配管を通すための複数の第１の貫通孔を有し、
複数の前記第１の貫通孔は、２回回転対称の位置に配置されている
木質パネル。
【請求項５】
前記木製枠材は、前記第１の貫通孔とは異なる位置に、前記合板と平行な方向に延在する、ボルトを通すための複数の第２の貫通孔をさらに備えた
請求項４に記載の木質パネル。
【請求項６】
壁、床および屋根のうち少なくとも一か所に用いられた複数の木質パネルを備え、
各前記木質パネルは、
ＪＡＳ規格によって規定された構造用合板と、
前記構造用合板に固定された木製枠材と
を有する
建築物。
【請求項７】
各前記木質パネルの前記木製枠材は、前記構造用合板と平行な方向に延在する複数の第１の貫通孔を有し、
複数の前記第１の貫通孔は、２回回転対称の位置に配置されており、
当該建築物は、互いに接する２枚の前記木質パネルにおいて、一方の前記木質パネルの前記第１の貫通孔と、他方の前記木質パネルの前記第１の貫通孔とを貫通する配管をさらに備えた
請求項６に記載の建築物。
【請求項８】
各前記木質パネルの前記木製枠材は、前記第１の貫通孔とは異なる位置に、前記構造用合板と平行な方向に延在する、ボルトを通すための複数の第２の貫通孔をさらに有する
請求項７に記載の建築物。
【請求項９】
壁、床および屋根のうち少なくとも一か所に用いられた複数の木質パネルを備え、
各前記木質パネルは、
合板と、
前記合板に固定された木製枠材と
を有し、
前記木製枠材は、前記合板と平行な方向に延在する複数の第１の貫通孔を有し、
複数の前記第１の貫通孔は、２回回転対称の位置に配置されており、
当該建築物は、互いに接する２枚の前記木質パネルにおいて、一方の前記木質パネルの前記第１の貫通孔と、他方の前記木質パネルの前記第１の貫通孔とを貫通する配管をさらに備えた
建築物。
【請求項１０】
各前記木質パネルの前記木製枠材は、前記第１の貫通孔とは異なる位置に、前記合板と平行な方向に延在する複数の第２の貫通孔をさらに有し、
当該建築物は、
互いに接する２枚の前記木質パネルにおいて、一方の前記木質パネルの前記第２の貫通孔と、他方の前記木質パネルの前記第２の貫通孔とに挿通されたボルトと、
前記ボルトを前記木質パネルに固定するナットと
をさらに備えた
請求項９に記載の建築物。
【考案の詳細な説明】
【技術分野】
【０００１】  本考案は、木質パネルおよび建築物に関する。
【背景技術】
【０００２】  従来から、一般住宅などの建物のコストを低減するために、ツーバイフォーなどの建物部材のユニット化が盛んに行われている。
【考案の概要】
【考案が解決しようとする課題】
【０００３】  建物部材のユニット化は、必要な職人の数の削減や、施工現場での工数の削減に寄与している。しかし、ユニット化された建物部材は、大型のトラックなどでの輸送を必要とするので、狭い道路に面した土地での建築には向かない。また、地震や津波、台風などの災害によって、住宅などの建築物が損壊した被災地に対しても、ユニット化された建物部材を持ち込むことは容易ではない。従って、大型のトラックなどでの輸送を必要とせず、しかも、施工現場での作業工数を最小限に抑えることの可能な木質パネル、および、そのような木質パネルを用いて建築された建築物を提供することが望ましい。
【課題を解決するための手段】
【０００４】  本考案の第１の実施の形態に係る木質パネルは、ＪＡＳ規格によって規定された構造用合板と、構造用合板に固定された木製枠材とを備えている。【０００５】  本考案の第１の実施の形態に係る建築物は、壁、床および屋根のうち少なくとも一か所に用いられた複数の木質パネルを備えている。各木質パネルは、ＪＡＳ規格によって規定された構造用合板と、構造用合板に固定された木製枠材とを有している。【０００６】  本考案の第１の実施の形態に係る木質パネルおよび建築物では、ＪＡＳ規格によって規定された構造用合板に木製枠材が固定されている。これにより、木質パネルは、構造用合板のサイズになっているので、従来の壁や床、屋根の下地材に代わって、木質パネルを用いることができる。また、複数の木質パネルを組み合わせるだけで壁や床、屋根の下地を形成することができる。【０００７】  本考案の第２の実施の形態に係る木質パネルは、合板と、合板に固定された木製枠材とを備えている。木製枠材は、合板と平行な方向に延在する、配管を通すための複数の貫通孔を有している。複数の貫通孔は、２回回転対称の位置に配置されている。【０００８】  本考案の第２の実施の形態に係る建築物は、壁、床および屋根のうち少なくとも一か所に用いられた複数の木質パネルを備えている。各木質パネルは、合板と、合板に固定された木製枠材とを有している。木製枠材は、合板と平行な方向に延在する複数の貫通孔を有している。複数の貫通孔は、２回回転対称の位置に配置されている。この建築物は、互いに接する２枚の前記木質パネルにおいて、一方の木質パネルの貫通孔と、他方の木質パネルの貫通孔とを貫通する配管をさらに備えている。【０００９】  本考案の第２の実施の形態に係る木質パネルおよび建築物では、合板に固定された木製枠材に、配管を通すための複数の貫通孔が設けられており、複数の貫通孔は、２回回転対称の位置に配置されている。これにより、複数の木質パネルを、上下左右を気にせずに無造作に並べて配置した際に、互いに接する２枚の木質パネルにおいて、一方の木質パネルの貫通孔と、他方の木質パネルの貫通孔とが同軸となるように配置される。つまり、複数の木質パネルを壁や床、屋根の下地材に用いた際に、複数の木質パネルを無造作に組み合わせるだけで、壁や床、屋根の下地材に配管を通す通路を設けることができる。
【考案の効果】
【００１０】  本考案の第１の実施の形態に係る木質パネルおよび建築物によれば、ＪＡＳ規格によって規定された構造用合板に木製枠材を固定するようにしたので、大型のトラックなどでの輸送を必要とせず、しかも、施工現場での作業工数を最小限に抑えることができる。【００１１】  本考案の第２の実施の形態に係る木質パネルおよび建築物によれば、合板に固定された木製枠材に、配管を通すための複数の貫通孔を設けるとともに、複数の貫通孔を、２回回転対称の位置に配置するようにしたので、大型のトラックなどでの輸送を必要とせず、しかも、施工現場での作業工数を最小限に抑えることができる。
【図面の簡単な説明】
【００１２】
【図１】本考案の第１の実施の形態にかかる木質パネルの斜視構成例を表す図である。
【図２】複数の木質パネルが組み合わされた木質パネルモジュールの斜視構成例を表す図である。
【図３】図２の木質パネルモジュールにおける、ボルト付近を拡大して表す図である。
【図４】図２の木質パネルモジュールにおける、ボルト付近を拡大して表す図である。
【図５】図２の木質パネルモジュールに配管を通した様子を表す図である。
【図６】図１の木質パネルの斜視構成の一変形例を表す図である。
【図７】本考案の第２の実施の形態にかかる建築物の斜視構成例を表す図である。
【考案を実施するための形態】
【００１３】  以下、本考案を実施するための形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【００１４】＜第１の実施の形態＞
［構成］
本考案の第１の実施の形態に係る木質パネル１の構成について説明する。図１は、木質パネル１の斜視構成例を表したものである。木質パネル１は、パネル工法によって建築物を建てる際に用いられる建築用パネルであり、建築物の壁や床、屋根の下地材（構造材）に用いられる。パネル工法とは、建築物の壁や床、屋根の下地材（構造材）をあらかじめ工場にてパネル化しておき、パネル化された複数の部材（建築用パネル）を施工現場で組み立てることにより、建築物を建てる工法を指している。
【００１５】  木質パネル１は、施工現場での加工により生産される部材ではなく、工場での加工により生産される部材である。そのため、木質パネル１の品質は、天候や作業者の技量に左右されることがなく、高品質で安定している。木質パネル１には、防腐処理が施されていることが好ましい。木質パネル１に防腐処理が施される前に、木質パネル１の所定位置に、ボルトなどを通すための孔が設けられていることが好ましい。これにより、施行現場での孔空け作業が不要となるだけでなく、孔空けによる防腐効果の低減が防止される。
【００１６】  木質パネル１は、例えば、合板１０、枠材２０および支持材３０によって構成されている。合板１０は、例えば、ＪＡＳ（Ｊａｐａｎｅｓｅ  Ａｇｒｉｃｕｌｔｕｒａｌ  Ｓｔａｎｄａｒｄ）規格によって規定された構造用合板である。構造用合板の規格はＪＡＳ規格によって規定されている。構造用合板は、ＪＡＳ規格によると、合板のうち、化粧ばり構造用合板以外の合板で建築物の構造耐力上主要な部分に使用するもの（さね加工を施したものを含む。）をいう。構造用合板は、ＪＡＳ規格によると、以下のいずれかのサイズとなっている。
【００１７】構造用合板のサイズ
幅（ｍｍ）  ×  長さ（ｍｍ）
９００          １，８００、１８１８
９１０          １，８２０、２，１３０、２，４４０、２，７３０、３，０３０
９５５          １，８２０
１，０００      ２，０００
１，２２０      ２，４４０、２，７３０
【００１８】  枠材２０は、合板１０に固定された木製枠材であり、例えば、角材で構成されている。支持材３０は、合板１０に固定された木製支持材であり、例えば、角材で構成されている。枠材２０および支持材３０は、例えば、釘、ネジ、接着剤等によって、合板１０に固定されている。枠材２０は、合板１０の縁に沿って配置されており、合板１０の横方向に延在する縁に沿って配置された複数の横枠材２１と、合板１０の縦方向に延在する縁に沿って配置された複数の縦枠材２２によって構成されている。図１には、枠材２０が２本の横枠材２１および２本の縦枠材２２によって構成されている場合が例示されている。各横枠材２１および各縦枠材２２は、例えば、角材で構成されている。支持材３０は、合板１０の縁以外の箇所に配置された木製枠材であり、例えば、角材で構成されている。支持材３０は、枠材２０を支持するためのものであり、支持材３０の両端が枠材２０に接している。
【００１９】  枠材２０は、合板１０と平行な方向に延在する複数の貫通孔２１Ａ（第１の貫通孔）および複数の貫通孔２２Ａ（第１の貫通孔）を有している。複数の貫通孔２１Ａは横枠材２１に設けられており、複数の貫通孔２２Ａは縦枠材２２に設けられている。各貫通孔２１Ａおよび各貫通孔２２Ａは、配管（例えば、水道管や、電気配線を通すための配管）を通すためのものである。複数の貫通孔２１Ａおよび複数の貫通孔２２Ａは、木質パネル１において、２回回転対称の位置に配置されている。貫通孔２１Ａの数や位置は、図１に記載された内容に限定されるものではない。貫通孔２２Ａの数や位置は、図１に記載された内容に限定されるものではない。
【００２０】  枠材２０は、さらに、貫通孔２２Ａとは異なる位置に、合板１０と平行な方向に延在する複数の貫通孔２１Ｂ（第２の貫通孔）および複数の貫通孔２２Ｂ（第２の貫通孔）を有している。複数の貫通孔２１Ｂは横枠材２１に設けられており、複数の貫通孔２２Ｂは縦枠材２２に設けられている。各貫通孔２１Ｂおよび各貫通孔２２Ｂは、後述のボルト７０を通すためのものである。複数の貫通孔２１Ｂおよび複数の貫通孔２２Ｂは、木質パネル１において、２回回転対称の位置に配置されている。貫通孔２１Ｂの数や位置は、図１に記載された内容に限定されるものではない。貫通孔２２Ｂの数や位置は、図１に記載された内容に限定されるものではない。
【００２１】  支持材３０は、合板１０と平行な方向に延在する複数の貫通孔３０Ａを有している。各貫通孔３０Ａは、配管（例えば、水道管や、電気配線を通すための配管）を通すためのものである。各貫通孔３０Ａの位置は、特に限定されない。支持材３０が縦枠材２２と平行に配置されている場合には、各貫通孔３０Ａは、例えば、貫通孔２２Ａと対向する位置に配置されている。支持材３０が横枠材２１と平行に配置されている場合には、各貫通孔３０Ａは、例えば、貫通孔２１Ａと対向する位置に配置されている。
【００２２】  図２は、複数の木質プレート１が組み合わされた木質パネルモジュール２の斜視構成例を表したものである。図３、図４は、木質パネルモジュール２における、ボルト７０付近を拡大して表す図である。
【００２３】  木質パネルモジュール２は、工場で組み立てられたものであってもよいし、施行現場で組み立てられたものであってもよい。木質パネルモジュール２において、複数の木質プレート１は、例えば、図２に示したように、千鳥張りされている。木質パネルモジュール２において、複数の木質プレート１は、イモ張りされていてもよい。複数の木質プレート１が千鳥張りされる場合には、木質プレート１の半分の大きさの木質プレート３が木質パネルモジュール２の縁に嵌め込まれる。木質プレート３は、合板１０の半分の大きさの合板４０と、枠材２０の半分の大きさの枠材５０と、支持材３０の半分の大きさの支持材６０とにより構成されている。枠材５０は、例えば、横枠材２１と同じ長さの複数の横枠材５１と、縦枠材２２の半分の長さの複数の縦枠材５２とにより構成されている。
【００２４】  横方向に互いに接する２枚の木質パネル１において、一方の木質パネル１の貫通孔２２Ａと、他方の木質パネル１の貫通孔２２Ａとは、互いに同軸上に位置している。つまり、横方向に互いに接する２枚の木質パネル１において、一方の木質パネル１の貫通孔２２Ａと、他方の木質パネル１の貫通孔２２Ａとは、互いに連通している。なお、例えば、図４（Ａ）に示したように、互いに連通している２つの貫通孔２２Ａ内に連結管９０が嵌め込まれていてもよい。連結管９０は、２つの貫通孔２２Ａの内面を保護するためのものである。
【００２５】  縦方向に互いに接する２枚の木質パネル１において、一方の木質パネル１の貫通孔２１Ａと、他方の木質パネル１の貫通孔２１Ａとは、互いに同軸上に位置している。つまり、縦方向に互いに接する２枚の木質パネル１において、一方の木質パネル１の貫通孔２１Ａと、他方の木質パネル１の貫通孔２１Ａとは、互いに連通している。なお、互いに連通している２つの貫通孔２１Ａ内に連結管９０が嵌め込まれていてもよい。
【００２６】  横方向に互いに接する２枚の木質パネル１において、一方の木質パネル１の貫通孔２２Ｂと、他方の木質パネル１の貫通孔２２Ｂとは、互いに同軸上に位置している。つまり、横方向に互いに接する２枚の木質パネル１において、一方の木質パネル１の貫通孔２２Ｂと、他方の木質パネル１の貫通孔２２Ｂとは、互いに連通している。木質パネルモジュール２は、互いに連通している２つの貫通孔２２Ｂに挿通されたボルト７０と、ボルト７０を、横方向に互いに接する２枚の木質パネル１に固定するナット８０とを備えている。
【００２７】  縦方向に互いに接する２枚の木質パネル１において、一方の木質パネル１の貫通孔２１Ｂと、他方の木質パネル１の貫通孔２１Ｂとは、互いに同軸上に位置している。つまり、縦方向に互いに接する２枚の木質パネル１において、一方の木質パネル１の貫通孔２１Ｂと、他方の木質パネル１の貫通孔２１Ｂとは、互いに連通している。木質パネルモジュール２は、互いに連通している２つの貫通孔２１Ｂに挿通されたボルト７０と、ボルト７０を、縦方向に互いに接する２枚の木質パネル１に固定するナット８０とを備えている。
【００２８】  木質パネルモジュール２において、例えば、図５に示したように、配管１００が複数の貫通孔２２Ａおよび１つの貫通孔２１Ａを貫通していてもよいし、配管１００が複数の貫通孔２２Ａおよび複数の貫通孔２１Ａを貫通していてもよい。このように、木質パネルモジュール２では、配管１００を比較的自由自在に配置することが可能である。
【００２９】［効果］
次に、木質パネル１の効果について説明する。
【００３０】  従来から、一般住宅などの建物のコストを低減するために、ツーバイフォーなどの建物部材のユニット化が盛んに行われている。建物部材のユニット化は、必要な職人の数の削減や、施工現場での工数の削減に寄与している。しかし、ユニット化された建物部材は、大型のトラックなどでの輸送を必要とするので、狭い道路に面した土地での建築には向かない。また、地震や津波、台風などの災害によって、住宅などの建築物が損壊した被災地に対しても、ユニット化された建物部材を持ち込むことは容易ではない。
【００３１】  一方、木質パネル１では、ＪＡＳ規格によって規定された構造用合板からなる合板１０に枠材２０が固定されている。これにより、木質パネル１は、構造用合板のサイズになっているので、従来の壁や床、屋根の下地材に代わって、木質パネル１を用いることができる。また、複数の木質パネル１を組み合わせるだけで壁や床、屋根の下地を形成することができる。その結果、大型のトラックなどでの輸送を必要とせず、しかも、施工現場での作業工数を最小限に抑えることができる。
【００３３】  また、木質パネル１では、合板１０に固定された枠材２０に、配管１００を通すための複数の貫通孔２１Ａおよび複数の貫通孔２２Ａが設けられており、複数の貫通孔２１Ａおよび複数の貫通孔２２Ａは、木質パネル１において、２回回転対称の位置に配置されている。これにより、複数の木質パネル１を、上下左右を気にせずに無造作に並べて配置した際に、互いに接する２枚の木質パネル１において、一方の木質パネル１の貫通孔２１Ａ（または貫通孔２２Ａ）と、他方の木質パネル１の貫通孔２１Ａ（または貫通孔２２Ａ）とが同軸となるように配置される。つまり、複数の木質パネル１を壁や床、屋根の下地材に用いた際に、複数の木質パネル１を無造作に組み合わせるだけで、壁や床、屋根の下地材に配管１００を通す通路を設けることができる。その結果、大型のトラックなどでの輸送を必要とせず、しかも、施工現場での作業工数を最小限に抑えることができる。
【００３４】  また、木質パネル１では、合板１０に固定された枠材２０に、ボルト７０を通すための複数の貫通孔２１Ｂおよび複数の貫通孔２２Ｂが設けられており、複数の貫通孔２１Ｂおよび複数の貫通孔２２Ｂは、木質パネル１において、２回回転対称の位置に配置されている。これにより、複数の木質パネル１を、上下左右を気にせずに無造作に並べて配置した際に、互いに接する２枚の木質パネル１において、一方の木質パネル１の貫通孔２１Ｂ（または貫通孔２２Ｂ）と、他方の木質パネル１の貫通孔２１Ｂ（または貫通孔２２Ｂ）とが同軸となるように配置される。つまり、複数の木質パネル１を壁や床、屋根の下地材に用いた際に、複数の木質パネル１を無造作に組み合わせるだけで、複数の木質パネル１同士を固定することができる。その結果、大型のトラックなどでの輸送を必要とせず、しかも、施工現場での作業工数を最小限に抑えることができる。
【００３５】＜変形例＞
上記実施の形態において、例えば、図６に示したように、配線用の貫通孔２１Ａ，２２Ａ，３０Ａが省略されていてもよい。この場合であっても、上記の実施の形態と同様、大型のトラックなどでの輸送を必要とせず、しかも、施工現場での作業工数を最小限に抑えることができる。
【００３６】＜第２の実施の形態＞
本考案の第２の実施の形態に係る建築物７について説明する。図７は、建築物７の斜視構成例を表したものである。建築物７は、パネル工法によって建てられたものである。建築物７は、上記実施の形態またはその変形例の複数の木質パネル１を、壁、床（例えば１階床、２階床）および屋根のうち少なくとも一か所に下地材（構造材）として用いたものである。
【００３７】  建築物７は、例えば、壁、床および屋根のうち少なくとも一か所に用いられた複数の木質パネル１と、複数の木質パネル３（図２参照）と、２つの木質パネル１同士を固定する複数組のボルト７０およびナット８０と、木質パネル１と木質パネル３とを互いに固定する複数組のボルト７０およびナット８０とを備えている。建築物７において、例えば、組み合わされた複数の木質パネル１および複数の木質パネル３によって、木質パネルモジュール２が構成されている。
【００３８】  建築物７では、ＪＡＳ規格によって規定された構造用合板からなる合板１０に枠材２０が固定された複数の木質パネル１（もしくは木質パネルモジュール２）が用いられている。ここで、木質パネル１は、構造用合板のサイズになっているので、従来の壁や床、屋根の下地材に代わって、木質パネル１を用いることができる。また、複数の木質パネル１を組み合わせるだけで壁や床、屋根の下地を形成することができる。従って、大型のトラックなどでの輸送を必要とせず、しかも、施工現場での作業工数を最小限に抑えることができる。
【００３９】  また、建築物７では、合板１０に固定された枠材２０に、配管１００を通すための複数の貫通孔２１Ａおよび複数の貫通孔２２Ａが設けられており、複数の貫通孔２１Ａおよび複数の貫通孔２２Ａは、木質パネル１において、２回回転対称の位置に配置されている。これにより、複数の木質パネル１を、上下左右を気にせずに無造作に並べて配置した際に、互いに接する２枚の木質パネル１において、一方の木質パネル１の貫通孔２１Ａ（または貫通孔２２Ａ）と、他方の木質パネル１の貫通孔２１Ａ（または貫通孔２２Ａ）とが同軸となるように配置される。つまり、複数の木質パネル１を壁や床、屋根の下地材に用いた際に、複数の木質パネル１を無造作に組み合わせるだけで、壁や床、屋根の下地材に配管１００を通す通路を設けることができる。その結果、大型のトラックなどでの輸送を必要とせず、しかも、施工現場での作業工数を最小限に抑えることができる。
【００４０】  また、建築物７では、合板１０に固定された枠材２０に、ボルト７０を通すための複数の貫通孔２１Ｂおよび複数の貫通孔２２Ｂが設けられており、複数の貫通孔２１Ｂおよび複数の貫通孔２２Ｂは、木質パネル１において、２回回転対称の位置に配置されている。これにより、複数の木質パネル１を、上下左右を気にせずに無造作に並べて配置した際に、互いに接する２枚の木質パネル１において、一方の木質パネル１の貫通孔２１Ｂ（または貫通孔２２Ｂ）と、他方の木質パネル１の貫通孔２１Ｂ（または貫通孔２２Ｂ）とが同軸となるように配置される。つまり、複数の木質パネル１を壁や床、屋根の下地材に用いた際に、複数の木質パネル１を無造作に組み合わせるだけで、複数の木質パネル１同士を固定することができる。その結果、大型のトラックなどでの輸送を必要とせず、しかも、施工現場での作業工数を最小限に抑えることができる。
【符号の説明】
【００４１】  １…木質パネル、２…木質パネルモジュール、３…木質パネル、４…建築物、１０…合板、２０…枠材、２１…横枠材、２１Ａ，２１Ｂ…貫通孔、２２…縦枠材、２２Ａ，２２Ｂ…貫通孔、３０…支持材、３０Ａ…貫通孔、４０…合板、５０…枠材、５１…横枠材、５２…縦枠材、６０…支持材、７０…ボルト、８０…ナット、９０…連結管。１００…配管。
【図１】
0003208533.tif 000003
【図２】
0003208533.tif 000004
【図３】
0003208533.tif 000005
【図４】
0003208533.tif 000006
【図５】
0003208533.tif 000007
【図６】
0003208533.tif 000008
【図７】
0003208533.tif 000009